(57)【要約】【課題】精査処理に要する時間を短縮する。【解決手段】紙葉類処理装置は、搬送路上において紙葉類を搬送する搬送機構と、搬送路への紙葉類の送り出しと搬送路からの紙葉類の受け入れとを実行可能に搬送路と接続された少なくとも３つの紙葉類収納部と、搬送路上を搬送される紙葉類の種類判別と計数とを行う識別部と、紙葉類処理装置内の紙葉類の種類毎の数を特定する精査処理を行う制御部と、を備える。制御部は、精査処理の開始時において紙葉類収納部のそれぞれに収納されている紙葉類群毎に、識別部による計数を伴う搬送路を介した一の紙葉類収納部から他の紙葉類収納部への紙葉類の移動である計数移動を行うと共に、少なくとも１つの紙葉類群について計数移動後にさらなる紙葉類の移動を行わず精査処理を終了する。【選択図】図５
2010277228.tif 000002
【特許請求の範囲】
【請求項１】
紙葉類処理装置であって、
搬送路を有し、前記搬送路上において紙葉類を搬送する搬送機構と、
紙葉類を収納可能であると共に、前記搬送路への紙葉類の送り出しと前記搬送路からの紙葉類の受け入れとを実行可能に前記搬送路と接続された少なくとも３つの紙葉類収納部と、
前記搬送路上を搬送される紙葉類の種類判別と計数とを行う識別部と、
前記搬送機構と各前記紙葉類収納部と前記識別部とを制御して前記紙葉類処理装置内の紙葉類の種類毎の数を特定する精査処理を行う制御部と、を備え、
前記制御部は、前記精査処理の開始時において各前記紙葉類収納部に収納されている紙葉類群毎に、前記識別部による計数を伴う前記搬送路を介した一の前記紙葉類収納部から他の前記紙葉類収納部への紙葉類の移動である計数移動を行うと共に、少なくとも１つの紙葉類群について前記計数移動後にさらなる紙葉類の移動を行わず前記精査処理を終了する、紙葉類処理装置。
【請求項２】
請求項１に記載の紙葉類処理装置であって、
前記搬送路は、環状部分を有し、
各前記紙葉類収納部は、前記搬送路の前記環状部分に接続され、
前記制御部は、前記計数移動を行う前に、前記搬送路の前記環状部分における紙葉類の搬送経路に沿って前記識別部の排出側に最も近い位置で前記搬送路と接続する前記紙葉類収納部である最上流収納部が空ではない場合には、前記最上流収納部を空にする準備処理を行うと共に、前記最上流収納部が空である状態において前記搬送経路に沿って前記識別部の排出側により近い位置で前記搬送路と接続する前記紙葉類収納部に収納された紙葉類群から順に前記計数移動を行う、紙葉類処理装置。
【請求項３】
請求項２に記載の紙葉類処理装置であって、
前記制御部は、一の前記紙葉類収納部から前記搬送経路に沿って前記識別部の排出側方向において隣接する他の前記紙葉類収納部へ紙葉類を移動することにより、前記計数移動を行う、紙葉類処理装置。
【請求項４】
請求項２または請求項３に記載の紙葉類処理装置であって、
前記制御部は、前記準備処理として、前記搬送路を介して、前記識別部による計数を伴わない前記最上流収納部から他の空の前記紙葉類収納部への紙葉類の移動を行う、紙葉類処理装置。
【請求項５】
請求項２ないし請求項４のいずれかに記載の紙葉類処理装置であって、
前記制御部は、前記精査処理の開始時において空の前記紙葉類収納部が無く、かつ、２つの紙葉類群であって合計枚数が１つの前記紙葉類収納部の容量以下である少量紙葉類群が存在する場合に、前記搬送路を介して、２つの前記少量紙葉類群の一方を収納する前記紙葉類収納部から前記少量紙葉類群の他方を収納する前記紙葉類収納部への前記識別部による計数を伴わない紙葉類の移動を行うことにより、空の前記紙葉類収納部をつくりだすと共に、２つの前記少量紙葉類群を１つの紙葉類群とみなして前記計数移動を行う、紙葉類処理装置。
【請求項６】
請求項２ないし請求項４のいずれかに記載の紙葉類処理装置であって、さらに、
前記搬送路と接続され、前記紙葉類を一時的に保留する一時保留部を備え、
前記制御部は、前記精査処理の開始時において空の前記紙葉類収納部が無く、かつ、枚数が前記一時保留部の容量以下である一時保留可能紙葉類群が存在する場合に、前記一時保留可能紙葉類群を収納する前記紙葉類収納部から前記一時保留部への紙葉類の移動を行うことにより、空の前記紙葉類収納部をつくりだす、紙葉類処理装置。
【請求項７】
請求項２ないし請求項４のいずれかに記載の紙葉類処理装置であって、さらに、
前記搬送路と接続され、前記紙葉類収納部へ装填すべき紙葉類および前記紙葉類収納部から回収した紙葉類を収納するための装填・回収紙葉類収納部を備え、
前記制御部は、前記精査処理の開始時において空の前記紙葉類収納部が無い場合に、前記最上流収納部から前記装填・回収紙葉類収納部への紙葉類の移動を行うことにより、前記最上流収納部を空にする、紙葉類処理装置。
【請求項８】
請求項１ないし請求項７のいずれかに記載の紙葉類処理装置であって、
前記紙葉類収納部は、自らが収納する紙葉類群の種類を示す表示部を有する、紙葉類処理装置。
【請求項９】
請求項１ないし請求項８のいずれかに記載の紙葉類処理装置であって、さらに、
前記紙葉類収納部のそれぞれに収納される紙葉類群の種類を示す表示部を備える、紙葉類処理装置。
【請求項１０】
取引処理装置であって、
請求項１ないし請求項９のいずれかに記載の紙葉類処理装置と、
所定の情報を表示する表示部と、を備え、
前記所定の情報は、前記紙葉類収納部のそれぞれに収納される紙葉類群の種類を示す情報を含む、取引処理装置。
【発明の詳細な説明】
【技術分野】
【０００１】
本発明は、紙葉類処理装置および紙葉類処理装置を有する取引処理装置に関する。
【背景技術】
【０００２】
例えば自動取引装置（Ａｕｔｏｍａｔｅｄ  Ｔｅｌｌｅｒ  Ｍａｃｈｉｎｅ、ＡＴＭ）や両替機、銀行員などの使用する紙幣入出金機、自動券売機といった取引処理装置は、金種別に紙幣を収納する複数のカートリッジを有し紙幣の入出金処理を行う紙幣入出金機構を備えている。取引処理装置では、随時または定期的に、装置内部の紙幣の残高を把握するために、装置内の紙幣の種類毎の枚数を特定する精査処理が実行される。精査処理は、例えば、紙幣を収納するすべてのカートリッジについて、カートリッジ内に収納された紙幣を紙幣の装填や回収を行う装填・回収庫に計数しつつ移動した後に元のカートリッジに紙幣を戻す処理を行うことにより実行される（例えば特許文献１，２参照）。
【先行技術文献】
【特許文献】
【０００３】
【特許文献１】特開２００１−１０１４８３号公報
【特許文献２】特開平８−３２９３１７号公報
【特許文献３】特開２００２−３５２２９７号公報
【特許文献４】特開２０００−３５７２５８号公報
【特許文献５】特開平８−２９７７６６号公報
【発明の概要】
【発明が解決しようとする課題】
【０００４】
取引処理装置は、精査処理実行中は本来業務を行うことができないため、精査処理に要する時間はより短い方が望ましい。特に、近年、装置が大容量化し、収納する紙幣の枚数が増加するにつれ、精査処理の所要時間短縮の要請は高まっている。
【０００５】
なお、この課題は、紙幣の入出金処理を行う紙幣入出金機構に限らず、紙葉類の処理を行う紙葉類処理装置、および紙葉類処理装置を有する取引処理装置において共通の課題であった。
【０００６】
本発明は、上記の課題を解決するためになされたものであり、紙葉類処理装置および紙葉類処理装置を有する取引処理装置において、精査処理に要する時間を短縮することを目的とする。
【課題を解決するための手段】
【０００７】
上記課題の少なくとも一部を解決するために、本発明は、以下の形態または適用例として実現することが可能である。
【０００８】
［適用例１］  紙葉類処理装置であって、
搬送路を有し、前記搬送路上において紙葉類を搬送する搬送機構と、
紙葉類を収納可能であると共に、前記搬送路への紙葉類の送り出しと前記搬送路からの紙葉類の受け入れとを実行可能に前記搬送路と接続された少なくとも３つの紙葉類収納部と、
前記搬送路上を搬送される紙葉類の種類判別と計数とを行う識別部と、
前記搬送機構と各前記紙葉類収納部と前記識別部とを制御して前記紙葉類処理装置内の紙葉類の種類毎の数を特定する精査処理を行う制御部と、を備え、
前記制御部は、前記精査処理の開始時において各前記紙葉類収納部に収納されている紙葉類群毎に、前記識別部による計数を伴う前記搬送路を介した一の前記紙葉類収納部から他の前記紙葉類収納部への紙葉類の移動である計数移動を行うと共に、少なくとも１つの紙葉類群について前記計数移動後にさらなる紙葉類の移動を行わず前記精査処理を終了する、紙葉類処理装置。
【０００９】
この紙葉類処理装置では、少なくとも１つの紙葉類群について計数移動後にさらなる紙葉類の移動が行われずに精査処理が終了されるため、一の紙葉類収納部から他の紙葉類収納部への紙葉類群の移動回数を減らすことができ、精査処理に要する時間を短縮することができる。
【００１０】
［適用例２］適用例１に記載の紙葉類処理装置であって、
前記搬送路は、環状部分を有し、
各前記紙葉類収納部は、前記搬送路の前記環状部分に接続され、
前記制御部は、前記計数移動を行う前に、前記搬送路の前記環状部分における紙葉類の搬送経路に沿って前記識別部の排出側に最も近い位置で前記搬送路と接続する前記紙葉類収納部である最上流収納部が空ではない場合には、前記最上流収納部を空にする準備処理を行うと共に、前記最上流収納部が空である状態において前記搬送経路に沿って前記識別部の排出側により近い位置で前記搬送路と接続する前記紙葉類収納部に収納された紙葉類群から順に前記計数移動を行う、紙葉類処理装置。
【００１１】
この紙葉類処理装置では、計数移動の前に最上流収納部が空ではない場合には最上流収納部を空にする準備処理が行われ、最上流収納部が空である状態において識別部の排出側により近い位置で搬送路と接続する紙葉類収納部に収納された紙葉類群から順に計数移動が行われるため、一の紙葉類収納部から他の紙葉類収納部への紙葉類群の移動回数を効率的に減らすことができ、精査処理に要する時間を短縮することができる。
【００１２】
［適用例３］適用例２に記載の紙葉類処理装置であって、
前記制御部は、一の前記紙葉類収納部から前記搬送経路に沿って前記識別部の排出側方向において隣接する他の前記紙葉類収納部へ紙葉類を移動することにより、前記計数移動を行う、紙葉類処理装置。
【００１３】
この紙葉類処理装置では、一の紙葉類収納部から搬送経路に沿って識別部の排出側方向において隣接する他の紙葉類収納部へ紙葉類を移動することにより計数移動が行われるため、一の紙葉類収納部から他の紙葉類収納部への紙葉類群の移動回数を最小限に減らすことができ、精査処理に要する時間を最小限に短縮することができる。
【００１４】
［適用例４］適用例２または適用例３に記載の紙葉類処理装置であって、
前記制御部は、前記準備処理として、前記搬送路を介して、前記識別部による計数を伴わない前記最上流収納部から他の空の前記紙葉類収納部への紙葉類の移動を行う、紙葉類処理装置。
【００１５】
この紙葉類処理装置では、搬送路を介して最上流収納部から他の空の紙葉類収納部への識別部による計数を伴わない紙葉類の移動を行うことにより、最上流収納部を空にする準備処理を実現することができる。
【００１６】
［適用例５］適用例２ないし適用例４のいずれかに記載の紙葉類処理装置であって、
前記制御部は、前記精査処理の開始時において空の前記紙葉類収納部が無く、かつ、２つの紙葉類群であって合計枚数が１つの前記紙葉類収納部の容量以下である少量紙葉類群が存在する場合に、前記搬送路を介して、２つの前記少量紙葉類群の一方を収納する前記紙葉類収納部から前記少量紙葉類群の他方を収納する前記紙葉類収納部への前記識別部による計数を伴わない紙葉類の移動を行うことにより、空の前記紙葉類収納部をつくりだすと共に、２つの前記少量紙葉類群を１つの紙葉類群とみなして前記計数移動を行う、紙葉類処理装置。
【００１７】
この紙葉類処理装置では、精査処理の開始時において空の紙葉類収納部が無い場合にも、空の紙葉類収納部をつくりだすことができ、準備処理や計数移動を実現することができる。
【００１８】
［適用例６］適用例２ないし適用例４のいずれかに記載の紙葉類処理装置であって、さらに、
前記搬送路と接続され、前記紙葉類を一時的に保留する一時保留部を備え、
前記制御部は、前記精査処理の開始時において空の前記紙葉類収納部が無く、かつ、枚数が前記一時保留部の容量以下である一時保留可能紙葉類群が存在する場合に、前記一時保留可能紙葉類群を収納する前記紙葉類収納部から前記一時保留部への紙葉類の移動を行うことにより、空の前記紙葉類収納部をつくりだす、紙葉類処理装置。
【００１９】
この紙葉類処理装置では、精査処理の開始時において空の紙葉類収納部が無い場合にも、空の紙葉類収納部をつくりだすことができ、準備処理や計数移動を実現することができる。
【００２０】
［適用例７］適用例２ないし適用例４のいずれかに記載の紙葉類処理装置であって、さらに、
前記搬送路と接続され、前記紙葉類収納部へ装填すべき紙葉類および前記紙葉類収納部から回収した紙葉類を収納するための装填・回収紙葉類収納部を備え、
前記制御部は、前記精査処理の開始時において空の前記紙葉類収納部が無い場合に、前記最上流収納部から前記装填・回収紙葉類収納部への紙葉類の移動を行うことにより、前記最上流収納部を空にする、紙葉類処理装置。
【００２１】
この紙葉類処理装置では、精査処理の開始時において空の紙葉類収納部が無い場合にも、空の紙葉類収納部をつくりだすことができ、準備処理や計数移動を実現することができる。
【００２２】
［適用例８］適用例１ないし適用例７のいずれかに記載の紙葉類処理装置であって、
前記紙葉類収納部は、自らが収納する紙葉類群の種類を示す表示部を有する、紙葉類処理装置。
【００２３】
この紙葉類処理装置では、精査処理に伴い紙葉類収納部の収納する紙葉類群の種類に変更があった場合にも、当該変更に伴う悪影響を抑制することができる。
【００２４】
［適用例９］適用例１ないし適用例８のいずれかに記載の紙葉類処理装置であって、さらに、
前記紙葉類収納部のそれぞれに収納される紙葉類群の種類を示す表示部を備える、紙葉類処理装置。
【００２５】
この紙葉類処理装置では、精査処理に伴い紙葉類収納部の収納する紙葉類群の種類に変更があった場合にも、当該変更に伴う悪影響を抑制することができる。
【００２６】
［適用例１０］取引処理装置であって、
適用例１ないし適用例９のいずれかに記載の紙葉類処理装置と、
所定の情報を表示する表示部と、を備え、
前記所定の情報は、前記紙葉類収納部のそれぞれに収納される紙葉類群の種類を示す情報を含む、取引処理装置。
【００２７】
この取引処理装置では、精査処理に伴い紙葉類収納部の収納する紙葉類群の種類に変更があった場合にも、当該変更に伴う悪影響を抑制することができる。
【００２８】
なお、本発明は、種々の態様で実現することが可能であり、例えば、紙葉類処理装置、紙葉類処理装置を有する取引処理装置、これらの装置における精査処理方法、等の態様で実現することができる。
【図面の簡単な説明】
【００２９】
【図１】本発明の第１実施例における取引処理装置としての自動取引装置（ＡＴＭ）１の構成を概略的に示す説明図である。
【図２】自動取引装置１の構成を機能的に示す説明図である。
【図３】第１実施例における紙幣入出金機構５の構成を概略的に示す説明図である。
【図４】第１実施例における精査処理の流れを示すフローチャートである。
【図５】第１実施例の精査処理における紙幣の移動パターンを示す説明図である。
【図６】第１の比較例における精査処理における紙幣群の移動パターンを示す説明図である。
【図７】金種別カートリッジ１０１における金種表示の一例を示す説明図である。
【図８】入力兼表示部における金種別カートリッジ１０１の収納金種の表示の一例を示す説明図である。
【図９】第１実施例における現金装填処理の流れを示すフローチャートである。
【図１０】第２実施例における紙幣入出金機構５ａの構成を概略的に示す説明図である。
【図１１】第２実施例における精査処理の流れを示すフローチャートである。
【図１２】第２実施例の精査処理における紙幣の移動パターンを示す説明図である。
【図１３】第２実施例の精査処理における紙幣の移動パターンを示す説明図である。
【図１４】第２の比較例における精査処理における紙幣群の移動パターンを示す説明図である。
【図１５】第３実施例における紙幣入出金機構５ｂの構成を概略的に示す説明図である。
【図１６】第３実施例における精査処理の流れを示すフローチャートである。
【図１７】第３実施例の精査処理における紙幣の移動パターンを示す説明図である。
【図１８】第３の比較例における精査処理における紙幣群の移動パターンを示す説明図である。
【発明を実施するための形態】
【００３０】
次に、本発明の実施の形態を実施例に基づいて以下の順序で説明する。
Ａ．第１実施例：
Ａ−１．装置構成：
Ａ−２．精査処理：
Ａ−３．金種表示：
Ａ−４．現金装填処理：
Ｂ．第２実施例：
Ｃ．第３実施例：
Ｄ．変形例：
【００３１】
Ａ．第１実施例：
Ａ−１．装置構成：
図１は、本発明の第１実施例における取引処理装置としての自動取引装置（ＡＴＭ）１の構成を概略的に示す説明図である。自動取引装置１は、例えば金融機関や小売店、公共施設等に設置され、利用者の操作に従い、金融機関等の提供する現金出納等のサービスを自動で提供する装置である。自動取引装置１は、現金自動預け払い機とも呼ばれることがある。
【００３２】
自動取引装置１は、自動取引装置１全体を制御する本体制御部２と、利用者のカードを処理するカード処理機構３と、明細票を印字して放出する明細票処理機構４と、紙幣の入出金処理を行う紙幣入出金機構５と、表示機能および入力機能を有するユーザーインターフェースとしての入力兼表示部（操作部）７と、数字入力を行うキーパッド９と、を備えている。カード処理機構３は、自動取引に必要な利用者情報が記録された磁気カードおよびＩＣカードを受入・放出・回収すると共に、情報の読み書き・カード表面の画像取得を行う機能を有する。明細票処理機構４は、取引や係員処理等で使用する明細票を、印字・放出・回収する機能を有する。入力兼表示部７は、例えばタッチパネルを用いて構成される。本体制御部２は、ＣＰＵとプログラムやデータを記憶するメモリとを有し、ＣＰＵが記憶されたプログラムを読み出して実行することにより、各種処理・取引の制御を行う。
【００３３】
図２は、自動取引装置１の構成を機能的に示す説明図である。自動取引装置１は、上述した本体制御部２、カード処理機構３、明細票処理機構４、紙幣入出金機構５、入力兼表示部７、キーパッド９の他に、ホストコンピューター１２との接続のための回線接続部６と、インターフェース部８と、外部記憶装置１０と、を備えている。自動取引装置１の各部は、本体制御部２と接続され、本体制御部２の制御の下で各種の動作を行う。
【００３４】
図３は、第１実施例における紙幣入出金機構５の構成を概略的に示す説明図である。紙幣入出金機構５は、搬送路１０９を有し搬送路１０９上において紙幣を搬送する搬送機構１０８と、紙幣を収納する３つの金種別カートリッジ１０１（１０１Ａ，１０１Ｂ，１０１Ｃ）と、利用者が取り忘れた紙幣や出金に使用しない（または出金に適さない）紙幣を回収するリジェクト庫１０４と、搬送路１０９上を搬送される紙幣の真偽・金種を識別すると共に紙幣を計数する識別部１０３と、識別部１０３で識別された紙幣を一時保持する一時保留部１０５と、紙幣を入出金する入出金口１０７と、を備えている。また、紙幣入出金機構５は、紙幣入出金機構５の各部を制御する制御部（不図示）も備えている。
【００３５】
金種別カートリッジ１０１は、搬送路１０９への紙幣の送り出しと搬送路１０９からの紙幣の受け入れとを実行可能なように、搬送路１０９と接続されている。一方、リジェクト庫１０４は、搬送路１０９からの紙幣の受け入れのみが可能な状態で、搬送路１０９と接続されている。金種別カートリッジ１０１およびリジェクト庫１０４は、紙幣入出金機構５から取り外し可能な構造となっている。なお、紙幣入出金機構５の構成の詳細は、特開２００６−３５０５８７号公報に記載されている。
【００３６】
搬送機構１０８は、例えばローラーやベルト、搬送経路を切り替えるゲート等を用いて構成されている。図３には、搬送路１０９における紙幣の搬送方向を矢印で示している。図３に示すように、搬送路１０９は、環状の搬送経路ＣＲを形成する環状部分を有する。３つの金種別カートリッジ１０１は、搬送路１０９の環状部分に接続されている。搬送路１０９の環状部分には、識別部１０３が配置されている。本実施例では、３つの金種別カートリッジ１０１の関係に関して、搬送路１０９の環状部分における紙幣の搬送経路ＣＲに沿って識別部１０３の排出側（出口側）に近い側を「上流側」と呼び、識別部１０３の排出側から遠い側（すなわち識別部１０３の入力側に近い側）を「下流側」と呼ぶものとする。また、３つの金種別カートリッジ１０１の内、搬送経路ＣＲに沿って識別部１０３の排出側に最も近い側（すなわち最も上流側）で搬送路１０９と接続する金種別カートリッジ１０１を「最上流カートリッジ」と呼ぶものとする。図３に示す例では、金種別カートリッジ１０１Ａが最上流カートリッジである。
【００３７】
本実施例の紙幣入出金機構５では、搬送路１０９を介して、１つの金種別カートリッジ１０１から他の金種別カートリッジ１０１への紙幣の移動を実行することが可能である。下流側の金種別カートリッジ１０１から上流側の金種別カートリッジ１０１への紙幣の移動（例えば金種別カートリッジ１０１Ｂから金種別カートリッジ１０１Ａへの移動）は、紙幣の移動経路上に識別部１０３が存在するため、紙幣の移動の際に識別部１０３による種類判別や計数を行うことができる。１つの金種別カートリッジ１０１から他の金種別カートリッジ１０１への識別部１０３による計数を伴う紙幣の移動を「計数移動」と呼ぶ。一方、上流側の金種別カートリッジ１０１から下流側の金種別カートリッジ１０１への紙幣の移動（例えば金種別カートリッジ１０１Ａから金種別カートリッジ１０１Ｂへの移動）は、紙幣の移動経路上に識別部１０３が存在しないため、紙幣の移動の際に識別部１０３による種類判別や計数を行うことができない。１つの金種別カートリッジ１０１から他の金種別カートリッジ１０１への識別部１０３による計数を伴わない紙幣の移動を「非計数移動」と呼ぶ。
【００３８】
Ａ−２．精査処理：
図４は、第１実施例における精査処理の流れを示すフローチャートである。また、図５は、第１実施例の精査処理における紙幣の移動パターンを示す説明図である。精査処理は、自動取引装置１内の紙幣の保有量を把握するために、装置内の紙幣の種類毎の枚数を特定する処理である。精査処理は、本体制御部２（図２）が、紙幣入出金機構５の各部を制御しつつ実行する。
【００３９】
図５には、精査処理の各段階における紙幣入出金機構５に含まれる３つの金種別カートリッジ１０１（１０１Ａ，１０１Ｂ，１０１Ｃ）の紙幣の収納状態を示している。図５において、「Ｐ１」および「Ｐ２」は、互いに異なる２つの金種の紙幣群（例えば万円紙幣および千円紙幣群）を表している。また、「空き」は、金種別カートリッジ１０１に紙幣が収納されていない（すなわち金種別カートリッジ１０１は空である）ことを表している。なお、紙幣を収納していない金種別カートリッジ１０１を「空きカートリッジ」と呼ぶものとする。図５において、最上段には精査処理開始時の初期状態における紙幣収納状態を示しており、精査処理の進行に伴う紙幣収納状態の遷移を２段目以降に示している。
【００４０】
精査処理（図４）のステップＳ１１０では、紙幣入出金機構５に空きカートリッジが有るか否かが判定される。空きカートリッジが無いと判定された場合には、精査処理は終了される。この場合には、例えば１つの金種別カートリッジ１０１内の紙幣を排出するなどして空きカートリッジをつくりだした後に、再度精査処理が実行される。
【００４１】
精査処理（図４）のステップＳ１１０において空きカートリッジが有ると判定された場合には、次に、最上流カートリッジである金種別カートリッジ１０１Ａは空きカートリッジであるか否かが判定される（ステップＳ１２０）。ステップＳ１２０において金種別カートリッジ１０１Ａは空きカートリッジではないと判定された場合には、金種別カートリッジ１０１Ａから空の金種別カートリッジ１０１への搬送路１０９を介した紙幣群の移動が行われる（ステップＳ１３０）。
【００４２】
初期状態における各金種別カートリッジ１０１の紙幣収納状態が図５（ｂ）の最上段に示す状態であった場合には、精査処理（図４）のステップＳ１２０において最上流カートリッジ（金種別カートリッジ１０１Ａ）は空きカートリッジではないと判定される。この場合には、最上流カートリッジを空きカートリッジにする処理（準備処理）として、金種別カートリッジ１０１Ａから空きカートリッジ（金種別カートリッジ１０１Ｂ）への紙幣群Ｐ１の移動（非計数移動）が行われる（図５（ｂ）の２段目参照）。同様に、初期状態における各金種別カートリッジ１０１の紙幣収納状態が図５（ｃ）の最上段に示す状態であった場合には、準備処理として、金種別カートリッジ１０１Ａから空きカートリッジ（金種別カートリッジ１０１Ｃ）への紙幣群Ｐ２の移動（非計数移動）が行われる（図５（ｃ）の２段目参照）。
【００４３】
一方、精査処理（図４）のステップＳ１２０において最上流カートリッジは空きカートリッジであると判定された場合には、ステップＳ１３０の処理（準備処理）はスキップされる。初期状態における各金種別カートリッジ１０１の紙幣収納状態が図５（ａ）の最上段に示す状態であった場合には、最上流カートリッジ（金種別カートリッジ１０１Ａ）は空きカートリッジであると判定されるため、ステップＳ１３０の処理は行われない。
【００４４】
次に、最上流カートリッジ（金種別カートリッジ１０１Ａ）が空きカートリッジである状態において、より上流側で搬送路１０９と接続する金種別カートリッジ１０１に収納された紙幣群から順に、金種別カートリッジ１０１から上流側（識別部１０３の排出側に近い側）方向において隣接する他の金種別カートリッジ１０１への搬送路１０９を介した紙幣群の移動が行われる（図４のステップＳ１４０）。このときの移動は、識別部１０３による計数を伴う計数移動である。
【００４５】
例えば、図５（ａ）の最上段に示す状態から、より上流側で搬送路１０９と接続する金種別カートリッジ１０１である金種別カートリッジ１０１Ｂに収納された紙幣群である紙幣群Ｐ１が、金種別カートリッジ１０１Ｂから、上流側方向において隣接する他の金種別カートリッジ１０１である金種別カートリッジ１０１Ａへと計数移動され（図５（ａ）の２段目参照）、次に紙幣群Ｐ２が、金種別カートリッジ１０１Ｃから上流側方向において隣接する他の金種別カートリッジ１０１である金種別カートリッジ１０１Ｂへと計数移動される（同３段目参照）。図５（ｂ）および図５（ｃ）に示す場合も同様に、図５（ｂ）または図５（ｃ）の２段目に示す状態から、金種別カートリッジ１０１Ｂに収納された紙幣群Ｐ１が金種別カートリッジ１０１Ａへと計数移動され（図５（ｂ）または図５（ｃ）の３段目参照）、次に金種別カートリッジ１０１Ｃに収納された紙幣群Ｐ２が金種別カートリッジ１０１Ｂへと計数移動される（同４段目参照）。ステップＳ１４０の処理が完了すると、本実施例の精査処理は終了する。
【００４６】
以上説明したように、本実施例の自動取引装置１における精査処理では、ステップＳ１４０（図４）において紙幣群毎に計数移動が行われた後は、さらなる紙幣の移動が行われずに精査処理が終了する。そのため、図５に示すように、本実施例の精査処理において実行される紙幣群の移動（計数移動または非計数移動）の合計回数は、２回または３回である。図６は、第１の比較例における精査処理における紙幣群の移動パターンを示す説明図である。第１の比較例では、精査処理開始時に各金種別カートリッジ１０１に収納されたすべての紙幣群について、金種別カートリッジ１０１から空きカートリッジへの移動（計数移動）と、移動先の金種別カートリッジ１０１から当該紙幣群が計数移動前に収納されていた元の金種別カートリッジ１０１への戻し移動（非計数移動）と、が実行される。従って、図６に示す第１の比較例の精査処理において実行される紙幣群の移動の合計回数は、少なくとも４回である。このように、本実施例の自動取引装置１における精査処理では、金種別カートリッジ１０１から他の金種別カートリッジ１０１への紙幣群の移動回数を減らすことができるため、精査処理に要する時間を短縮することができる。また、本実施例の精査処理では、紙幣群の移動回数を減らすことができるため、移動に伴う紙幣の損傷の発生を抑制することができると共に、紙幣入出金機構５の各部（例えば搬送機構１０８）の不具合の発生を抑制することができる。
【００４７】
また、本実施例の自動取引装置１における精査処理では、精査処理の開始時において最上流カートリッジが空ではない場合には、最上流カートリッジに収納された紙幣群を空きカートリッジに移動して最上流カートリッジを空にする準備処理が行われ、最上流カートリッジが空である状態において、より上流側で搬送路１０９と接続する金種別カートリッジ１０１に収納された紙幣群から順に、金種別カートリッジ１０１から上流側方向において隣接する他の金種別カートリッジ１０１への搬送路１０９を介した紙幣群の計数移動が行われる。そのため、本実施例の自動取引装置１における精査処理では、金種別カートリッジ１０１から他の金種別カートリッジ１０１への紙幣群の移動回数を最低限に減らすことができ、精査処理に要する時間を最大限に短縮することができる。
【００４８】
Ａ−３．金種表示：
本実施例の自動取引装置１における精査処理では、精査処理実行前と精査処理実行後で、各金種別カートリッジ１０１の収納金種が変化する。そのため、本実施例の自動取引装置１では、精査処理に伴う金種別カートリッジ１０１の収納金種の変化による影響（例えば係員や保守員の作業効率の低下）を抑制するための方策が施されている。
【００４９】
図７は、金種別カートリッジ１０１における金種表示の一例を示す説明図である。本実施例では、図７（ａ）に示すように、金種別カートリッジ１０１が、金種別カートリッジ１０１に収納された金種を示すための表示部４００を有している。本実施例では、表示部４００は、金種別カートリッジ１０１が紙幣入出金機構５に設置された状態においても係員による表示内容の確認が可能となるような位置（例えば金種別カートリッジ１０１の上部）に配置されている。
【００５０】
金種別カートリッジ１０１の表示部４００は、図７（ｂ）に示すように、４つの表示領域（図７（ｂ）におけるハッチングを付した矩形の領域）を有する電子ペーパーデバイス４０１と、各表示領域に対応する金種表示ラベル４０２（４０２ａ〜４０２ｄ）と、を有している。４つの金種表示ラベル４０２は、金種別カートリッジ１０１の４つの表示領域がどの金種に対応するかを示している。電子ペーパーデバイス４０１は、４つの表示領域の内、金種別カートリッジ１０１に収納された金種を示す金種表示ラベル４０２に対応する１つの表示領域が表示状態となり、残り３つの表示領域が非表示状態となるように、本体制御部２によって制御される。これにより、表示部４００は金種別カートリッジ１０１に収納された金種を示す。また、電子ペーパーデバイス４０１は、金種別カートリッジ１０１が紙幣入出金機構５から取り外されても、その表示・非表示状態を保持する構造となっている。
【００５１】
本実施例では、精査処理に伴う金種別カートリッジ１０１の収納金種の変更があった場合には、金種別カートリッジ１０１の表示部４００の表示・非表示状態が、変更後の収納金種を示す状態に変更される。従って、精査処理に伴う金種別カートリッジ１０１の収納金種の変化があっても、例えば係員や保守員の作業効率の低下といった影響が表れることはない。
【００５２】
なお、各金種別カートリッジ１０１の収納金種の表示は、入力兼表示部（操作部）７（図１）により実現されるとしてもよい。図８は、入力兼表示部における金種別カートリッジ１０１の収納金種の表示の一例を示す説明図である。図８に示す入力兼表示部７の表示例においては、「カートリッジ」欄で特定される金種別カートリッジ１０１（およびリジェクト庫１０４）のそれぞれの収納金種が表示されている。図８に示すように、入力兼表示部７において金種別カートリッジ１０１の収納金種の表示が行われれば、金種別カートリッジ１０１が外部からは目視出来ない状態であっても、係員や保守員は各金種別カートリッジ１０１の収納金種を確認することができる。なお、図８に示す表示例では、各金種の収容枚数なども表示されている。また、図８に示す表示例では、紙幣入出金機構５における金種別カートリッジ１０１の位置を示す概略図も同時に表示されており、これにより、係員は各金種の収納されている金種別カートリッジ１０１の位置を把握し易くなる。さらに、図８に示す表示例では、当該概略図の中にも、各金種別カートリッジ１０１（およびリジェクト庫１０４）に収納された金種や空状態が表示されており、係員は各金種の収納されている金種別カートリッジ１０１の位置を一層把握し易くなる。図８は、媒体一覧画面における表示例であるが、障害発生時の障害内容表示画面や現金装填処理時の係員画面など、金種別カートリッジ１０１内の金種情報が関連するような処理画面において、同様に、各金種別カートリッジ１０１の収納金種の表示を行うものとしてもよい。
【００５３】
Ａ−４．現金装填処理：
本実施例では、精査処理前後での各金種別カートリッジ１０１の収納金種の変化を許容している。このことは、自動取引装置１の紙幣入出金機構５への現金装填時においても、特定の位置に特定の金種を収納した金種別カートリッジ１０１を装填する必要が無いことを意味する。つまり、現金装填時において、紙幣入出金機構５の任意の位置に各金種別カートリッジ１０１をセットすることが可能となる。ただし、この場合に、どの金種別カートリッジ１０１にどの金種が収納されているかを装置に通知することが必要である。
【００５４】
図９は、第１実施例における現金装填処理の流れを示すフローチャートである。本実施例の現金装填処理は、紙幣入出金機構５の金種別カートリッジ１０１を交換する事によって、紙幣入出金機構５に現金を装填する処理である。現金装填処理は、本体制御部２が、自動取引装置１の各部を制御して実行する。現金装填処理は、例えば図８に示した入力兼表示部７の表示画面において、係員処理の実行が選択され、さらに現金装填処理の実行が選択されると開始される。
【００５５】
現金装填処理（図９）が開始されると、入力兼表示部７に実行確認画面が表示される（ステップＳ４１０）。このとき、「取り消し」キーが入力されると、現金装填処理は終了する。一方、「実行」キーが入力されると、紙幣入出金機構５にすべての金種別カートリッジ１０１がセットされているか否かの確認が行われる（ステップＳ４３０）。未セットの金種別カートリッジ１０１が有ると判定された場合には、未セットの金種別カートリッジ１０１が有ることを示す警告画面の表示（ステップＳ４４０）が行われた後、現金装填処理は終了する。一方、すべての金種別カートリッジ１０１がセットされていると判定された場合には、金種別カートリッジ１０１毎の収納金種情報がクリアされる（ステップＳ４５０）。
【００５６】
次に、金種別カートリッジ１０１の１つが選択され（ステップＳ４６０）、選択された金種別カートリッジ１０１についての放出・収納テストが実行される（ステップＳ４７０）。放出・収納テストは、金種別カートリッジ１０１に収納された紙幣を放出し、搬送路１０９上において紙幣を搬送し、元の金種別カートリッジ１０１に紙幣を収納することにより、セットされた金種別カートリッジ１０１が正常に紙幣を放出・収納できることを確認する処理である。放出・収納テストにおいては、識別部１０３による放出紙幣の金種判別が実行される。放出・収納テストにおいて障害が発生した場合には、現金装填処理は異常終了（ステップＳ４９０）となる。一方、放出・収納テストが正常に終了した場合には、金種別カートリッジ１０１の金種情報が保存される（ステップＳ５００）。
【００５７】
１つの金種別カートリッジ１０１についての金種情報が保存されると、未選択の金種別カートリッジ１０１の有無が判定され（ステップＳ５１０）、未選択の金種別カートリッジ１０１が有ると判定された場合には、未選択の金種別カートリッジ１０１の１つが選択され（ステップＳ４６０）、選択された金種別カートリッジ１０１についての放出・収納テストから金種情報保存までの処理が実行される。すべての金種別カートリッジ１０１が選択されたと判定された場合には、入力兼表示部７に装填枚数登録画面が表示され（ステップＳ５２０）、金種別カートリッジ１０１毎の枚数情報が保存される（ステップＳ５３０）。以上説明した本実施例の現金装填処理によれば、各金種別カートリッジ１０１に収納された金種を係員が操作部から入力するといった手間を要することなく、各金種別カートリッジ１０１に収納された金種の特定を実現することができる。
【００５８】
Ｂ．第２実施例：
図１０は、第２実施例における紙幣入出金機構５ａの構成を概略的に示す説明図である。第２実施例における紙幣入出金機構５ａは、金種別カートリッジ１０１を４つ（１０１Ａ〜１０１Ｄ）備えている点が、図３に示した第１実施例の紙幣入出金機構５とは異なっている。第２実施例の紙幣入出金機構５ａのその他の構成は、各構成要素の配置等に若干の相違があるものの、基本的に第１実施例の紙幣入出金機構５と同じである。なお、第２実施例の紙幣入出金機構５ａの構成の詳細は、特開２００５−２５０６４２号公報に記載されている。
【００５９】
第２実施例の紙幣入出金機構５ａにおいても、第１実施例と同様に、４つの金種別カートリッジ１０１の関係に関して、搬送路１０９の環状部分における紙幣の搬送経路ＣＲに沿って識別部１０３の排出側に近い側を「上流側」と呼び、識別部１０３の排出側から遠い側を「下流側」と呼ぶものとし、搬送経路ＣＲに沿って識別部１０３の排出側に最も近い側（すなわち最も上流側）で搬送路１０９に接続する金種別カートリッジ１０１を「最上流カートリッジ」と呼ぶものとする。図１０に示す例では、金種別カートリッジ１０１Ａが最上流カートリッジである。
【００６０】
図１１は、第２実施例における精査処理の流れを示すフローチャートである。また、図１２および図１３は、第２実施例の精査処理における紙幣の移動パターンを示す説明図である。図１２および図１３には、紙幣入出金機構５ａに含まれる４つの金種別カートリッジ１０１（１０１Ａ，１０１Ｂ，１０１Ｃ，１０１Ｄ）における紙幣の収納状態を示している。図１２および図１３において、「Ｐ１」および「Ｐ２」は、比較的取扱量の多い２つの金種の紙幣群（例えば万円紙幣および千円紙幣群）を表しており、「Ｑ１」および「Ｑ２」は、比較的取扱量の少ない２つの金種（以下、「少量金種」とも呼ぶ）の紙幣群（例えば５千円紙幣および２千円紙幣群）を表している。紙幣群Ｑ１およびＱ２の合計量は、１つの金種別カートリッジ１０１の収納容量より少ないものとする。また、図１２および図１３において、「空き」は、金種別カートリッジ１０１に紙幣が収納されていない（すなわち金種別カートリッジ１０１は空である）ことを表している。図１２および図１３において、最上段には精査処理開始時の初期状態における紙幣収納状態を示しており、精査処理の進行に伴う紙幣収納状態の遷移を２段目以降に示している。図１２および図１３に示すように、第２実施例の精査処理では、初期状態において、すべての金種別カートリッジ１０１に紙幣群が収納されている。すなわち、初期状態において、空きカートリッジが存在しない。
【００６１】
精査処理（図１１）のステップＳ２１０では、２つの少量金種の紙幣群の内、より上流側の金種別カートリッジ１０１に収納されている少量金種の紙幣群を、他方の少量金種の紙幣群が収納されている金種別カートリッジ１０１に移動する処理が行われる。このときの移動は、識別部１０３による計数を伴わない非計数移動である。この移動により、空きカートリッジがつくりだされる。
【００６２】
例えば、初期状態における各金種別カートリッジ１０１の紙幣収納状態が図１２（ａ）の最上段に示す状態であった場合には、より上流側の金種別カートリッジ１０１に収納されている少量金種の紙幣群である紙幣群Ｑ１が、他方の少量金種の紙幣群Ｑ２が収納されている金種別カートリッジ１０１Ｂに移動される。この移動により、移動前に紙幣群Ｑ１が収納されていた金種別カートリッジ１０１Ａが空きカートリッジとなる。初期状態における各金種別カートリッジ１０１の紙幣収納状態が図１２（ｂ），（ｃ）や図１３（ａ）〜（ｃ）の最上段に示す状態であった場合にも、同様に、紙幣群Ｑ１の移動によって空きカートリッジがつくりだされる。
【００６３】
次に、最上流カートリッジである金種別カートリッジ１０１Ａは空きカートリッジであるか否かが判定される（ステップＳ２２０）。図１２および図１３に示すように、初期状態において最上流カートリッジ（金種別カートリッジ１０１Ａ）に少量金種の紙幣群Ｑ１またはＱ２が収納されていた場合には、ステップＳ２２０の判定において最上流カートリッジは空きカートリッジであると判定されることとなり、初期状態において最上流カートリッジに少量金種以外の紙幣群Ｐ１またはＰ２が収納されていた場合には、ステップＳ２２０の判定において最上流カートリッジは空きカートリッジではないと判定されることとなる。
【００６４】
精査処理（図１１）のステップＳ２２０において最上流カートリッジは空きカートリッジではないと判定された場合には、最上流カートリッジを空きカートリッジにする処理（準備処理）として、最上流カートリッジから空の金種別カートリッジ１０１への搬送路１０９を介した紙幣群の非計数移動が行われる（ステップＳ２３０）。図１３（ａ）〜（ｃ）に示す場合には、ステップＳ２２０において最上流カートリッジは空きカートリッジではないと判定されるため、準備処理として、金種別カートリッジ１０１Ａから空きカートリッジへの紙幣群Ｐ１またはＰ２の移動（非計数移動）が行われる（図１３（ａ）〜（ｃ）の３段目参照）。
【００６５】
一方、精査処理（図１１）のステップＳ２２０において最上流カートリッジは空きカートリッジであると判定された場合には、ステップＳ２３０の処理（準備処理）はスキップされる。図１２（ａ）〜（ｃ）に示す場合には、ステップＳ２２０において最上流カートリッジは空きカートリッジであると判定されるため、ステップＳ２３０の処理は行われない。
【００６６】
次に、最上流カートリッジ（金種別カートリッジ１０１Ａ）が空きカートリッジである状態において、より上流側で搬送路１０９と接続する金種別カートリッジ１０１に収納された紙幣群から順に、金種別カートリッジ１０１から上流側（識別部１０３の排出側に近い側）方向において隣接する他の金種別カートリッジ１０１への搬送路１０９を介した紙幣群の移動が行われる（図１１のステップＳ２４０）。このときの移動は、識別部１０３による計数を伴う計数移動である。なお、このときの計数移動は、２つの少量金種の紙幣群（紙幣群Ｑ１およびＱ２）を１つの紙幣群とみなして行われる。例えば、図１２（ａ）の２段目に示す状態から、より上流側で搬送路１０９と接続する金種別カートリッジ１０１である金種別カートリッジ１０１Ｂに収納された紙幣群である紙幣群Ｑ１およびＱ２が、金種別カートリッジ１０１Ｂから、上流側方向において隣接する他の金種別カートリッジ１０１である金種別カートリッジ１０１Ａへと計数移動され（図１２（ａ）の３段目参照）、次に紙幣群Ｐ１が金種別カートリッジ１０１Ｃから金種別カートリッジ１０１Ｂへと計数移動され（同４段目参照）、さらに紙幣群Ｐ２が金種別カートリッジ１０１Ｄから金種別カートリッジ１０１Ｃへと計数移動される（同５段目参照）。図１２（ｂ），（ｃ）や図１３（ａ）〜（ｃ）の場合にも、同様に計数移動が実行される。ステップＳ２４０の処理の完了時には、最も下流側の金種別カートリッジ１０１Ｄが空きカートリッジとなる。
【００６７】
ステップＳ２４０（図１１）の処理が完了すると、２つの少量金種の紙幣群（紙幣群Ｑ１およびＱ２）が空きカートリッジ（金種別カートリッジ１０１Ｄ）に移動される（ステップＳ２５０）。このときの移動は、非計数移動である。その後、一方の少量金種の紙幣群（紙幣群Ｑ１またはＱ２）が空きカートリッジに移動される（ステップＳ２６０）。このときの移動は、計数移動である。これにより、少量金種を含むすべての金種について紙幣の計数が完了する。
【００６８】
以上説明したように、第２実施例における精査処理では、精査処理開始時の初期状態において空きカートリッジが無い場合であっても、２つの少量金種の紙幣群（図１２および図１３のＱ１およびＱ２）の一方を収納する金種別カートリッジ１０１から他方の少量金種の紙幣群を収納する金種別カートリッジ１０１への非計数移動により空きカートリッジがつくりだされ、２つの少量金種の紙幣群を１つの紙幣群とみなして紙幣群毎の計数移動が行われる。ここで、少量金種以外の金種の紙幣群（図１２および図１３のＰ１およびＰ２）については、計数移動が行われた後は、さらなる紙幣の移動が行われずに精査処理が終了する。そのため、図１２および図１３に示すように、第２実施例の精査処理において実行される紙幣群の移動（計数移動または非計数移動）の合計回数は、６回または７回である。図１４は、第２の比較例における精査処理における紙幣群の移動パターンを示す説明図である。第２の比較例では、一方の少量金種の紙幣群の移動により空きカートリッジがつくりだされた後は、すべての紙幣群について、金種別カートリッジ１０１から空きカートリッジへの移動（計数移動）と、移動先の金種別カートリッジ１０１から当該紙幣群が計数移動前に収納されていた元の金種別カートリッジ１０１への戻し移動（非計数移動）と、が実行される。従って、図１４に示す第２の比較例の精査処理において実行される紙幣群の移動の合計回数は、少なくとも８回である。このように、第２実施例の精査処理では、金種別カートリッジ１０１から他の金種別カートリッジ１０１への紙幣群の移動回数を減らすことができるため、精査処理に要する時間を短縮することができると共に、移動に伴う紙幣の損傷の発生を抑制することができ、さらに紙幣入出金機構５ａの各部の不具合の発生を抑制することができる。
【００６９】
Ｃ．第３実施例：
図１５は、第３実施例における紙幣入出金機構５ｂの構成を概略的に示す説明図である。第３実施例における紙幣入出金機構５ｂは、金種別カートリッジ１０１に補充する紙幣や金種別カートリッジ１０１から回収した紙幣を収納する装填・回収庫１０６を備えている点が、図１０に示した第２実施例の紙幣入出金機構５ａとは異なっている。第３実施例の紙幣入出金機構５ｂのその他の構成は、各構成要素の配置等に若干の相違があるものの、基本的に第２実施例の紙幣入出金機構５ａと同じである。なお、第３実施例の紙幣入出金機構５ｂの構成の詳細は、特開２００６−１９０３３３号公報に記載されている。
【００７０】
第３実施例の紙幣入出金機構５ｂにおいても、第２実施例と同様に、４つの金種別カートリッジ１０１の関係に関して、搬送路１０９の環状部分における紙幣の搬送経路ＣＲに沿って識別部１０３の排出側に近い側を「上流側」と呼び、識別部１０３の排出側から遠い側を「下流側」と呼ぶものとし、搬送経路ＣＲに沿って識別部１０３の排出側に最も近い側（すなわち最も上流側）で搬送路１０９に接続する金種別カートリッジ１０１を「最上流カートリッジ」と呼ぶものとする。図１５に示す例では、金種別カートリッジ１０１Ａが最上流カートリッジである。
【００７１】
図１６は、第３実施例における精査処理の流れを示すフローチャートである。また、図１７は、第３実施例の精査処理における紙幣の移動パターンを示す説明図である。図１７には、紙幣入出金機構５ｂに含まれる４つの金種別カートリッジ１０１（１０１Ａ，１０１Ｂ，１０１Ｃ，１０１Ｄ）と装填・回収庫１０６とにおける紙幣の収納状態を示している。図１７における符号（「Ｐ１」、「Ｐ２」、「Ｑ１」、「Ｑ２」、「空き」）の意味は、第２実施例と同じである。図１７において、最上段には精査処理開始時の初期状態における紙幣収納状態を示しており、精査処理の進行に伴う紙幣収納状態の遷移を２段目以降に示している。
【００７２】
精査処理（図１６）のステップＳ３１０では、最上流カートリッジ（金種別カートリッジ１０１Ａ）に収納された紙幣群が装填・回収庫１０６に移動される。このときの移動は、非計数移動である。これにより、最上流カートリッジが空きカートリッジとなる。図１７の例では、金種別カートリッジ１０１Ａに収納された紙幣群Ｑ１が装填・回収庫１０６に移動されている（図１７の２段目参照）。
【００７３】
次に、最上流カートリッジ（金種別カートリッジ１０１Ａ）が空きカートリッジである状態において、より上流側で搬送路１０９と接続する金種別カートリッジ１０１に収納された紙幣群から順に、金種別カートリッジ１０１から上流側（識別部１０３の排出側に近い側）方向において隣接する他の金種別カートリッジ１０１への搬送路１０９を介した紙幣群の移動が行われる（図１６のステップＳ３２０）。このときの移動は、識別部１０３による計数を伴う計数移動である。なお、このとき、装填・回収庫１０６は金種別カートリッジ１０１とみなされる。ステップＳ３２０の処理により、すべての金種について紙幣の計数が完了する。
【００７４】
以上説明したように、第３実施例における精査処理では、精査処理開始時の初期状態において空きカートリッジが無い場合であっても、最上流カートリッジ（金種別カートリッジ１０１Ａ）から装填・回収庫１０６への紙幣群の移動により最上流カートリッジが空となり、その後は紙幣群毎の計数移動が行われる。紙幣群毎に計数移動が行われた後は、さらなる紙幣の移動が行われずに精査処理が終了する。そのため、図１７に示すように、第３実施例の精査処理において実行される紙幣群の移動（計数移動または非計数移動）の合計回数は、５回である。図１８は、第３の比較例における精査処理における紙幣群の移動パターンを示す説明図である。第３の比較例では、すべての金種の紙幣群について、金種別カートリッジ１０１から装填・回収庫１０６への移動（計数移動）と、装填・回収庫１０６から元の金種別カートリッジ１０１への戻し移動（非計数移動）と、が実行される。従って、図１８に示す第３の比較例の精査処理において実行される紙幣群の移動の合計回数は、少なくとも８回である。このように、第３実施例の精査処理では、金種別カートリッジ１０１から他の金種別カートリッジ１０１への紙幣群の移動回数を減らすことができるため、精査処理に要する時間を短縮することができると共に、移動に伴う紙幣の損傷の発生を抑制することができ、さらに紙幣入出金機構５ｂの各部の不具合の発生を抑制することができる。
【００７５】
Ｄ．変形例：
なお、この発明は上記の実施例や実施形態に限られるものではなく、その要旨を逸脱しない範囲において種々の態様において実施することが可能であり、例えば次のような変形も可能である。
【００７６】
Ｄ１．変形例１：
精査処理開始時の初期状態において空きカートリッジが無い場合であって、枚数が一時保留部１０５の容量以下である紙幣群（一時保留可能紙幣群）が存在する場合に、一時保留可能紙幣群を収納する金種別カートリッジ１０１から一時保留部１０５への紙幣群の移動を行うことにより、空きカートリッジをつくりだすものとしてもよい。
【００７７】
Ｄ２．変形例２：
上記各実施例における自動取引装置１や紙幣入出金機構５の構成は、あくまで一例であり、種々に変形可能である。例えば、自動取引装置１は、必ずしも外部記憶装置１０や回線接続部６を備える必要はない。また、紙幣入出金機構５は、４つあるいは５つ以上の金種別カートリッジ１０１を備えるとしてもよい。また、紙幣入出金機構５は、必ずしも一時保留部１０５やリジェクト庫１０４を備える必要はない。
【００７８】
また、上記各実施例では、本体制御部２が各部を制御して精査処理を実行するものとしているが、紙幣入出金機構５の制御部が実行するとしてもよい。また、上記各実施例では、少量金種は５千円および２千円であるとしているが、少量金種は他の金種（万円や千円）であるとしてもよい。また、例えば少量金種としての５千円および２千円が入金専用で出金不要である場合には、１つの金種別カートリッジ１０１に５千円および２千円の２つの金種の紙幣を収納する場合があるが、この場合にも、１つの金種別カートリッジ１０１に収納された５千円および２千円の紙幣を１つの紙幣群と考えて処理を行えばよい。例えば、精査処理開始時に空きカートリッジが無い場合であって、５千円および２千円の紙幣群の合計枚数が一時保留部１０５の容量以下である場合には、５千円および２千円の紙幣群を一時保留部１０５に移動することにより空きカートリッジをつくりだすものとしてもよい。
【００７９】
また、上記各実施例では、下流側の金種別カートリッジ１０１から上流側の金種別カートリッジ１０１への紙幣の移動の際に紙幣の計数が可能であり、上流側の金種別カートリッジ１０１から下流側の金種別カートリッジ１０１への紙幣の移動の際には計数が不可能であるとしているが、搬送経路を切り替えるゲートや個々の紙幣の搬送タイミングを調整するなどして、上流側の金種別カートリッジ１０１から下流側の金種別カートリッジ１０１への紙幣の移動の際にも計数可能とすることもできる。この場合にも、従来の精査処理と比較して、金種別カートリッジ１０１から他の金種別カートリッジ１０１への紙幣群の移動回数を減らすことができ、精査処理に要する時間を短縮することができる。
【００８０】
また、上記実施例では、表示部４００が電子ペーパーデバイス４０１を用いて構成されるとしているが、表示部４００は、表示内容変更時以外は電源を必要としない機械的な機構を用いて構成されるとしてもよいし、二次電池などのバックアップ電源により表示内容が保持可能な液晶表示器を用いて構成されるとしてもよい。
【００８１】
また、金種別カートリッジ１０１が、自ら収納する金種を示す金種情報を保存する不揮発性メモリを搭載し、紙幣入出金機構５の制御部が、セットされた金種別カートリッジ１０１のメモリに保存された金種情報を読み出し可能な構成を採用するとしてもよい。この場合には、金種別カートリッジ１０１に紙幣の詰込み作業を行う現金運用センタなどにおいて、金種別カートリッジ１０１に収納されている金種をその金種別カートリッジ１０１の不揮発性メモリに保存しておくとしもよい。このようにすれば、金種別カートリッジ１０１交換による現金装填処理時に金種別カートリッジ１０１のメモリに記憶された金種情報が読み出されることにより、自動的に、金種別カートリッジ１０１毎の収納金種の特定を行うことが可能となる。
【００８２】
また、金種別カートリッジ１０１が、その金種別カートリッジ１０１を特定する一意のシリアル値が格納された不揮発性メモリを搭載し、紙幣入出金機構５の制御部が、セットされた金種別カートリッジ１０１のメモリに保存されたシリアル値を読み出し可能な構成を採用するとしてもよい。この場合には、金種別カートリッジ１０１に紙幣の詰込み作業を行う現金運用センタなどにおいて、金種別カートリッジ１０１に収納されている金種および枚数と、その金種別カートリッジ１０１のシリアル値とを、対応付けてホストコンピューター１２に登録するとしてもよい。このようにすれば、金種別カートリッジ１０１交換による現金装填処理時に金種別カートリッジ１０１のメモリに記憶されたシリアル値を読み出し、そのシリアル値に対する金種および枚数をホストコンピューター１２に問合せることにより、自動的に、金種別カートリッジ１０１毎の収納金種と枚数の特定を行うことが可能となる。
【００８３】
また、上記各実施例において、ハードウェアによって実現されていた構成の一部をソフトウェアに置き換えるようにしてもよく、逆に、ソフトウェアによって実現されていた構成の一部をハードウェアに置き換えるようにしてもよい。
【符号の説明】
【００８４】
１…自動取引装置
２…本体制御部
３…カード処理機構
４…明細票処理機構
５…紙幣入出金機構
６…回線接続部
７…入力兼表示部
８…インターフェース部
９…キーパッド
１０…外部記憶装置
１２…ホストコンピューター
１０１…金種別カートリッジ
１０３…識別部
１０４…リジェクト庫
１０５…一時保留部
１０６…装填・回収庫
１０７…入出金口
１０８…搬送機構
１０９…搬送路
４００…表示部
４０１…電子ペーパーデバイス
４０２…金種表示ラベル
【図１】
2010277228.tif 000003
【図２】
2010277228.tif 000004
【図３】
2010277228.tif 000005
【図４】
2010277228.tif 000006
【図５】
2010277228.tif 000007
【図６】
2010277228.tif 000008
【図７】
2010277228.tif 000009
【図８】
2010277228.tif 000010
【図９】
2010277228.tif 000011
【図１０】
2010277228.tif 000012
【図１１】
2010277228.tif 000013
【図１２】
2010277228.tif 000014
【図１３】
2010277228.tif 000015
【図１４】
2010277228.tif 000016
【図１５】
2010277228.tif 000017
【図１６】
2010277228.tif 000018
【図１７】
2010277228.tif 000019
【図１８】
2010277228.tif 000020